(57)【要約】      （修正有）【課題】ストッパ金具の、フランジ部にかしめた部分である折曲部の耐久性を向上させる。【解決手段】環状金具１およびセンタ金具２の相対変位を制限するストッパとして機能するストッパ金具４とを具え、ストッパ金具４の周方向一部分を切り欠いて水抜き用の窓切欠９を有する防振装置１０において、窓切欠９に対応する、環状金具１のフランジ部１２内の、窓切欠９に対応する周方向位置部分を、これ以外の周方向位置部分の外縁１６より外周側に延出するよう設けられた舌部１７を、前記外縁１６より外周側に突出しないように折り曲げて構成されている。【選択図】図４
2010270827.tif 000002
【特許請求の範囲】
【請求項１】
筒状胴部の上端に外周側に突出するフランジ部が形成されてなる環状金具と、この環状金具の中心線上の上方に間隔をおいて設けられたセンタ金具と、前記環状金具と前記センタ金具との間に配設されてこれらの金具を連結するゴム部材と、前記環状金具および前記センタ金具の相対変位を制限するストッパとして機能するストッパ金具とを具え、このストッパ金具は、略筒状をなす筒状部と、この筒状部の上部から内周側に突出するストッパリングと、下端で前記フランジ部の外縁を包み込むようにして折り曲げられて前記フランジ部にかしめられ固定される折曲部と、前記筒状部の下端から前記フランジ部の上面に沿って折曲部まで連続する板状部とよりなり、前記折曲部、板状部、および、筒状部下部のそれぞれの周方向一カ所を切り欠いて水抜き用の窓切欠を形成してなる筒型防振マウントにおいて、
前記フランジ部の、前記窓切欠に対応する周方向位置部分は、これ以外の周方向位置部分の外縁より外周側に延出するよう設けられた舌部を、前記外縁より外周側に突出しないように折り曲げて構成されていることを特徴とする筒型防振マウント。
【発明の詳細な説明】
【技術分野】
【０００１】
本発明は、筒状胴部の上端に外周側に突出するフランジ部が形成されてなる環状金具と、環状金具の中心線上の上方に間隔をおいて設けられたセンタ金具と、環状金具とセンタ金具との間に配設されてこれらの金具を連結するゴム部材と、環状金具およびセンタ金具の相対変位を制限するストッパとして機能するストッパ金具とを具え、ストッパ金具の周方向一部分を切り欠いて水抜き用の窓切欠を形成してなる筒型防振マウントに関し、特に、折曲部の強度および耐久性を向上させることのできるものに関する。
【背景技術】
【０００２】
図１は、従来の筒型防振マウント（例えば、特許文献１参照。）を示す斜視図であり、図２はその断面図であり、筒型防振マウント９０は、筒状胴部の上端に外周側に突出するフランジ部１２が形成されてなる環状金具１と、環状金具１の中心線上の上方に間隔をおいて設けられたセンタ金具２と、環状金具１とセンタ金具２との間に配設されてこれらの金具１、２を連結する概ね円錐状のゴム部材３と、環状金具１およびセンタ金具２の相対変位を制限するストッパとして機能するストッパ金具９４とを具え、このストッパ金具９４は、略筒状をなす筒状部９５と、筒状部９５の上部から内周側に突出するストッパリング９６と、下端で前記フランジ部１２の外縁を包み込むようにして折り曲げられてフランジ部１２にかしめられ固定される折曲部９７と、前記筒状部９５の下端からフランジ部１２の上面に沿って折曲部９７まで連続する板状部９８とよりなり、折曲部９７、板状部９８、および、筒状部９５下部のそれぞれの周方向一部分を切り欠いて水抜き用の窓切欠９９を形成して構成される。
【０００３】
このようなストッパ金具９４を具えた筒型防振マウント９０は、環状金具１およびセンタ金具２の相対変位を小さく制限するので、ゴム部材３の耐久性を向上させることができ、また、ストッパ金具９４の下部には窓切欠９９が形成されているので、ゴム部材３とストッパ金具９４の内側との間の空間に雨水等が溜まるのを防止するとともに、窓切欠９９を通してストッパ金具９４内部の空気を換気することによってストッパ金具９４内の温度上昇を抑えることができる。
【０００４】
そして、窓切欠９９は、上記のように、本来、ストッパ金具９４内部からの換気と排水とのために設けられたものであるが、折曲部９７まで切り欠かれているのは、折曲部９７がフランジ部１２より半径方向外側に出ていた場合に、車両に取り付けられた筒型防振マウント９０が、周囲の部品と干渉するのを防止するためである。したがって、窓切欠９９の折曲部９７に対応する部分の周方向位置は、周囲に配置される部品との位置関係によって決まるため、それに対応する周方向位置が限定されるのに対して、窓切欠９９の筒状部９５に対応する部分の周方向位置は、ストッパ金具９４内部からの換気もしくは排水が目的であるため、切欠をどの周方向位置に配置してもよい。しかしながら、切欠製作の簡素化の点で、換気もしくは排水の目的の切欠と、周囲の部品との干渉防止用の切欠とを１つにまとめた窓切欠９９が設けられているのである。
【先行技術文献】
【特許文献】
【０００５】
【特許文献１】国際特許公開第０３／００１０７０号パンフレット（2003）
【発明の概要】
【発明が解決しようとする課題】
【０００６】
ところで、ストッパ金具９４が機能してそのストッパリング９６にセンタ金具２の環状凸部１９が当たりにストッパ金具９４に上向きの力が作用したとき、窓切欠９９として切り欠かれている板状部９８の端面９８ａには、これをフランジ部１２から引きはがしめくり上げる力が作用するが、従来技術にあっては、折曲部９７の端面９７ａと板状部９８の端面９８ａとが同一平面上にあるため、折曲部９７の端面９７ａもめくり上げられることになり、その結果、ストッパ作用の繰り返しによって折曲部９７がだんだん開き、ついにはストッパ金具９４をストッパとして機能させることができなくなるという問題があった。また、折曲部９７を含めたフランジ部１２の強度は、窓切欠９９から離れた位置では、フランジ部１２の全長にわたってかしめられているので強く、逆に窓切欠９９の近くでは弱く、このために、窓切欠９９側のフランジ部１２が反りやすく、これが、折曲部９７の端面９７ａを一層めくり上げられやすくしているということもあった。
【０００７】
本発明は、このような問題点に鑑みてなされたものであり、窓切欠を有するストッパ金具を環状金具のフランジ部にかしめた部分である折曲部の強度および耐久性を確保できる筒型防振マウントを提供することを目的とする。
【課題を解決するための手段】
【０００８】
本発明は、筒状胴部の上端に外周側に突出するフランジ部が形成されてなる環状金具と、この環状金具の中心線上の上方に間隔をおいて設けられたセンタ金具と、前記環状金具と前記センタ金具との間に配設されてこれらの金具を連結するゴム部材と、前記環状金具および前記センタ金具の相対変位を制限するストッパとして機能するストッパ金具とを具え、このストッパ金具は、略筒状をなす筒状部と、この筒状部の上部から内周側に突出するストッパリングと、下端で前記フランジ部の外縁を包み込むようにして折り曲げられて前記フランジ部にかしめられ固定される折曲部と、前記筒状部の下端から前記フランジ部の上面に沿って折曲部まで連続する板状部とよりなり、前記折曲部、板状部、および、筒状部下部のそれぞれの周方向一カ所を切り欠いて水抜き用の窓切欠を形成してなる筒型防振マウントにおいて、
前記フランジ部の、前記窓切欠に対応する周方向位置部分は、これ以外の周方向位置部分の外縁より外周側に延出するよう設けられた舌部を、前記外縁より外周側に突出しないように折り曲げて構成されていることを特徴とする筒型防振マウントである。
【発明の効果】
【０００９】
本発明によれば、前記フランジ部の、前記窓切欠に対応する周方向位置部分は、これ以外の周方向位置部分の外縁を含む円周から延出する舌部を、この円周より半径方向外側に突出しないように折り曲げて構成されているので、フランジ部の、これをめくり上げようとする方向に対する剛性を高めることができ、このことによって、カシメ部分を構成する折曲部の強度および耐久性を向上させることができる。
【図面の簡単な説明】
【００１０】
【図１】従来の筒型防振マウントを示す斜視図である。
【図２】従来の筒型防振マウントを示す断面図である。
【図３】本発明に係る実施形態の筒型防振マウントを示す斜視図である。
【図４】本発明に係る実施形態の筒型防振マウントを示す断面図である。
【図５】本発明に係る他の実施形態の筒型防振マウントを示す断面図である。
【図６】本発明に係るさらに他の実施形態の筒型防振マウントを示す断面図である。
【発明を実施するための形態】
【００１１】
本発明の実施形態について図に基づいて説明する。図３は、本発明にかかる実施形態の筒型防振マウントを示す斜視図であり、図４は、その断面図である。筒型防振マウント１０は、筒状胴部１１の上端に外周側に突出するフランジ部１２が形成されてなる環状金具１と、環状金具１の中心線上の上方に間隔をおい設けられたセンタ金具２と、環状金具１とセンタ金具２との間に配設されてこれらの金具１、２を連結する概ね円錐状のゴム部材３と、環状金具２およびセンタ金具２の相対変位を制限するストッパとして機能するストッパ金具４とを具え、このストッパ金具４は、略筒状をなす筒状部５と、筒状部５の上部から内周側に突出するストッパリング６と、下端で前記フランジ部１２の外縁を包み込むようにして折り曲げられてフランジ部１２にかしめられ固定される折曲部７と、前記筒状部５の下端からフランジ部１２の上面に沿って折曲部７まで連続する板状部８とよりなり、折曲部７、板状部８、および、筒状部５下部のそれぞれの周方向一部分を切り欠いて水抜き用の窓切欠９を形成して構成される。したがって、窓切欠９の縁は、折曲部７、板状部８、および、筒状部５に亘って延在する。
【００１２】
センタ金具２は、そこに設けられた雌ねじ部２ｂに螺合されたスタッドボルト２８を介して例えばエンジンに取付けられ、一方、環状金具１は、取付けボルト２６を介して車体側に取付けられていて、この場合、筒型防振マウント１０は、エンジンから車体側に伝わる振動を抑制するよう作用する。
【００１３】
また、センタ金具２には、外周方向に突出する凸部１９が形成されていて、環状金具１とセンタ金具２との軸方向に相互に離隔する方向の変位に対しては、環状凸部１９にストッパリング１２が第１緩衝ゴム１３を介して当たることによりこれを制限し、また、環状金具１とセンタ金具２との軸方向に相互に接近する方向の変位に対しては、部材１８にストッパリング１２が第２緩衝ゴム１４を介して当たることによりこれを制限するよう構成され、さらに、環状金具１とセンタ金具２との半径方向の変位に対しては、センタ金具２の外周面２ａと、ストッパリング６の内周面６ａとが第２緩衝ゴム１４を介して当たることによりこれを制限するよう構成されていて、このように大きな変位を制限することにより、筒型防振マウントの耐久性を高めることができる。
【００１４】
なお、環状金具１、センタ金具２、および、ゴム部材３は、金具１、２を予め金型内にセットしたあとゴム材料を注入して成形することにより、これを簡易に形成することができ、また、ストッパ金具４に加硫接着される第１緩衝ゴム１３、第２緩衝ゴム１４も、同様にしてストッパ金具４と一体的に成形するのが好ましい。
【００１５】
図３、図４に示すように、本発明の筒型防振マウント１０は、その特徴として、前記フランジ部１２の、窓切欠９に対応する周方向位置部分を、予め、これ以外の周方向位置部分の外縁１６よりも半径方向外側に延出するように製作しておき、このように外縁１６よりも半径方向外側に延出するよう設けられた舌部１７を、この外縁１６よりも半径方向外側に突出しないようにして折り曲げて構成されている。
【００１６】
舌部１７を、このようにして折り曲げることによって、フランジ部１２の窓切欠９に対応する周方向位置部分が、フランジ部１２の残余の周方向位置部分の外縁１６より半径方向外側に出ないため、この舌部１７が、筒型防振マウント１０の周囲に配置された部品と干渉するのを防止することができるのはもちろん、折り曲げられた部分が、フランジをまくり上げる力に対する剛性を増加させることができる。
【００１７】
図３、図４に示した例の場合は、舌部１６は90度の角度で折り曲げられているが、この折り曲げ角度は、90度でなくともよく、例えば、図５に他の実施形態として示した、筒型防振マウント２０の場合には、この折り曲げ角度を約180度としており、さらに、折り曲げ方向についても、上下どちらでもかまわない。
【００１８】
なお、図３、４に示した実施形態は、いわゆる液封式の防振装置であって、この実施形態においては、ゴム部材３の下方の環状金具１には、その内側に液密に取付けられた仕切り部材２３がさらに設けられ、仕切り部材２３のゴム部材３の反対側には柔軟に変形する膜部材２５が配置され、ゴム部材３と仕切り部材２３とで囲まれた空間よりなる主液室２１と、膜部材２５と仕切り部材２３とで囲まれた空間よりなる副液室２１とにはそれぞれ液体が封入され、主液室２１と副液室２２とは、仕切り部材２３内に形成されたオリフィス２４を介して連通していて、環状金具１とセンタ金具２との軸方向の相対変位により主液室２１の容積が変化するのに伴って液体は狭い流路を形成するオリフィス２３を通って移動するので振動を抑制する効果を発揮することができる。
【００１９】
本発明の筒型防振マウントは、このような液体封入式防振装置に限定されるものではなく、図６に、図４における部分と同じ機能を有するものについては同じ符号を付けた断面図で示すような、液室を持たずにゴム部材３のエネルギ減衰作用だけで防振する筒状防振マウント３０についても適用することができ、この場合にも、フランジ部１２の、窓切欠９に対応する周方向位置部分に、外縁１６よりも半径方向外側に延出するように設けられた舌部１７を、この外縁１６よりも半径方向外側に突出しないようにして折り曲げて構成されている。
【産業上の利用可能性】
【００２０】
本発明に係る筒型防振マウントは、自動車のエンジンマウントやボディマウントとして用いることができる。
【符号の説明】
【００２１】
１    環状金具
２    センタ金具
２ａ  センタ金具の外周面
２ｂ  雌ねじ部
３    ゴム部材
４    ストッパ金具
５    筒状部
５ａ  筒状部の端面
６    ストッパリング
６ａ  ストッパリングの内周面
７    折曲部
７ａ  折曲部の端面
８    板状部
８ａ  板状部の端面
９    窓切欠
１０  筒型防振マウント
１１  筒状胴部
１２  フランジ部
１３  第１緩衝ゴム
１４  第２緩衝ゴム
１５  弦
１６  フランジ部の窓切欠以外の部分に対応する周方向部分の外縁
１７  舌部
１８  部材
１９  環状凸部
２０  筒型防振マウント
２１  主液室
２２  副液室
２３  仕切り部材
２４  オリフィス
２５  膜部材
２６  取付けボルト
２８  スタッドボルト
３０  筒型防振マウント
【図１】
2010270827.tif 000003
【図２】
2010270827.tif 000004
【図３】
2010270827.tif 000005
【図４】
2010270827.tif 000006
【図５】
2010270827.tif 000007
【図６】
2010270827.tif 000008